(57)【要約】【課題】大容量の主変圧器が搭載されている大型のアーク溶接機では、無負荷損失の値が無視できなくなる。【解決手段】商用交流電源をアーク溶接に適した電圧に変換する第１及び第２の主変圧器と、第１及び第２の主変圧器と並列に接続し、第１及び第２の主変圧器の２次側電圧を整流及び電力制御する第１及び第２の電力主回路と、起動信号が入力すると出力電流設定値の値に応じて第１及び第２の電力主回路の出力を制御する電力制御回路と、出力を直流リアクトルによって平滑するアーク溶接機において、商用交流電源と第２の主変圧器の１次側との間に主回路開閉器を接続し、電源投入スイッチを介して商用交流電源が入力すると動作を開始し出力電流設定値が出力電流基準値を越えたときに主回路開閉器を閉路させる開閉器制御回路とを備えたことを特徴とするアーク溶接機である。【選択図】図１
2005081378.tif 000002
【特許請求の範囲】
【請求項１】
商用交流電源に接続してアーク溶接に適した電圧に変換する第１の主変圧器と、前記第１の主変圧器と並列に接続し前記商用交流電源をアーク溶接に適した電圧に変換する第２の主変圧器と、前記第１の主変圧器の２次側に接続され２次側電圧を整流及び電力制御するスイッチング素子からなる第１の電力主回路と、前記第２の主変圧器の２次側に接続され２次側電圧を整流及び電力制御するスイッチング素子からなる第２の電力主回路と、外部から起動信号が入力すると動作を開始し予め定めた出力電流設定値の値に応じて前記第１の電力主回路及び前記第２の電力主回路の出力を制御する電力制御回路と、前記第１の電力主回路の出力と前記第２の電力主回路の出力とを接続し直流リアクトルによって平滑するアーク溶接機において、前記商用交流電源と前記第２の主変圧器の１次側との間に主回路開閉器を接続し、前記商用交流電源の投入を制御する電源投入スイッチを介して前記商用交流電源が入力すると動作を開始し、前記出力電流設定値が予め定めた出力電流基準値を越えたときに開閉器駆動信号を出力して主回路開閉器を閉路させる開閉器制御回路とを備えたことを特徴とするアーク溶接機。
【請求項２】
商用交流電源に接続してアーク溶接に適した電圧に変換する第１の主変圧器と、前記第１の主変圧器と並列に接続し前記商用交流電源をアーク溶接に適した電圧に変換する第２の主変圧器と、前記第１の主変圧器の２次側に接続され２次側電圧を整流及び電力制御するスイッチング素子からなる第１の電力主回路と、前記第２の主変圧器の２次側に接続され２次側電圧を整流及び電力制御するスイッチング素子からなる第２の電力主回路と、外部から起動信号が入力すると動作を開始し予め定めた出力電流設定値の値に応じて前記第１の電力主回路及び前記第２の電力主回路の出力を制御する電力制御回路と、前記第１の電力主回路の出力と前記第２の電力主回路の出力とを接続し直流リアクトルによって平滑するアーク溶接機において、前記商用交流電源と前記第１の主変圧器の１次側との間に第１の主回路開閉器を接続し、前記商用交流電源と前記第２の主変圧器の１次側との間に第２の主回路開閉器を接続し、前記商用交流電源の投入を制御する電源投入スイッチを介して前記商用交流電源が入力すると動作を開始して第１の開閉器駆動信号を出力して前記第１の主回路開閉器を閉路し、続いて、前記出力電流設定値が予め定めた出力電流基準値を越えたときに第２の開閉器駆動信号を出力して前記第１の主回路開閉器と前記第２の主回路開閉器とを閉路させる開閉器制御回路とを備えたことを特徴とするアーク溶接機。
【請求項３】
前記開閉器制御回路及び前記電力制御回路は、前記起動信号がオフ時に設定された出力電流設定値の値に応じて出力を制御することを特徴とする請求項１又は請求項２記載のアーク溶接機。
【発明の詳細な説明】
【技術分野】
【０００１】
本発明は、主変圧器を複数並列接続し出力電流設定値の値に応じて上記主変圧器の稼動個数を制御するアーク溶接機に関するものである。
【背景技術】
【０００２】
従来では、図８に示すように商用交流電源に接続して入力開閉する第１の主回路開閉器ＭＳ１及び第２の主回路開閉器ＭＳ２と、上記第１の主回路開閉器ＭＳ１に接続され商用交流電源をアーク溶接に適した電圧に変換する第１の主変圧器ＩＮＴ１と、上記第２の主回路開閉器ＭＳ２に接続され商用交流電源をアーク溶接に適した電圧に変換する第２の主変圧器ＩＮＴ２と、上記第１の主変圧器ＩＮＴ１の二次側に接続され二次側電圧を整流及び電力制御する第１の電力主回路ＳＣＲ１と、上記第２の主変圧器ＳＣＲ２の二次側に接続され二次側電圧を整流及び電力制御する第２の電力主回路ＳＣＲ２と、商用交流電源を投入する指令信号を制御する電源投入スイッチＳＷ１と、上記電源投入スイッチＳＷ１がオンになって上記商用交流電源が入力すると直ちに第１の開閉器駆動信号Ｍｆ１を出力して上記第１の主回路開閉器ＭＳ１を閉路し、その後、予め定めた開閉器遅れ時間が経過した後に第２の開閉器駆動信号Ｍｆ２を出力して上記第２の主回路開閉器ＭＳ２を閉路させる開閉器制御回路ＭＫＴと、外部から起動信号Ｔｓが入力すると上記第１の電力主回路ＳＣＲ１及び上記第２の電力主回路ＳＣＲ２の出力を制御する電力制御回路ＳＣＴと、上記第１の電力主回路ＳＣＲ１及び前記第２の電力主回路ＳＣＲ２の出力側に接続され出力を平滑する直流リアクトルＤＣＬとを具備している。
【０００３】
また、上記開閉器制御回路ＭＫＴは、上記第１の開閉器駆動信号Ｍｆ１及び上記第２の開閉器駆動信号Ｍｆ２の順に出力し、上記第２の開閉器駆動信号Ｍｆ２が出力した後、予め定めた時間Ｔ２が経過した後に電力制御回路開始信号Ｍｓｃを出力し、上記電力制御回路ＳＣＴは、上記電力制御回路開始信号Ｍｓｃ及び上記起動信号Ｔｓのどちらも入力されると上記第１の電力主回路ＳＣＲ１及び上記第２の電力主回路ＳＣＲ２の出力を制御する。上述より、商用交流電源が投入されたとき励磁突入電流が時分割されて流れるので、上記励磁突入電流の値が小さくなる。
【０００４】
【特許文献１】特願平２００２−３４１６９６号公報
【発明の開示】
【発明が解決しようとする課題】
【０００５】
通常のアーク溶接機では、大容量の主変圧器が搭載されているが上記主変圧器の容量が大きくなると無負荷損失が増大し、上記無負荷損失の値が無視できなくなる。
【課題を解決するための手段】
【０００６】
第１の発明は、商用交流電源に接続してアーク溶接に適した電圧に変換する第１の主変圧器ＩＮＴ１と、上記第１の主変圧器ＩＮＴ１と並列に接続し上記商用交流電源をアーク溶接に適した電圧に変換する第２の主変圧器ＩＮＴ２と、上記第１の主変圧器ＩＮＴ１の２次側に接続され２次側電圧を整流及び電力制御するスイッチング素子からなる第１の電力主回路ＳＣＲ１と、上記第２の主変圧器ＩＮＴ２の２次側に接続され２次側電圧を整流及び電力制御するスイッチング素子からなる第２の電力主回路ＳＣＲ２と、外部から起動信号Ｔｓが入力すると動作を開始し予め定めた出力電流設定値Ｒｖの値に応じて上記第１の電力主回路ＳＣＲ１及び上記第２の電力主回路ＳＣＲ２の出力を制御する電力制御回路ＳＣと、上記第１の電力主回路ＳＣＲ１の出力と上記第２の電力主回路ＳＣＲ２の出力とを接続し直流リアクトルＤＣＬによって平滑するアーク溶接機において、上記商用交流電源と上記第２の主変圧器ＩＮＴ２の１次側との間に主回路開閉器ＭＳを接続し、上記商用交流電源の投入を制御する電源投入スイッチＳＷ１を介して上記商用交流電源が入力すると動作を開始し上記出力電流設定値Ｒｖが予め定めた出力電流基準値Ｒｆを越えたときに開閉器駆動信号Ｍｆを出力して主回路開閉器ＭＳを閉路させる開閉器制御回路ＭＫとを備えたことを特徴とするアーク溶接機である。
【０００７】
第２の発明は、商用交流電源に接続してアーク溶接に適した電圧に変換する第１の主変圧器ＩＮＴ１と、上記第１の主変圧器ＩＮＴ１と並列に接続し上記商用交流電源をアーク溶接に適した電圧に変換する第２の主変圧器ＩＮＴ２と、上記第１の主変圧器ＩＮＴ１の２次側に接続され２次側電圧を整流及び電力制御するスイッチング素子からなる第１の電力主回路ＳＣＲ１と、上記第２の主変圧器ＩＮＴ２の２次側に接続され２次側電圧を整流及び電力制御するスイッチング素子からなる第２の電力主回路ＳＣＲ２と、外部から起動信号Ｔｓが入力すると動作を開始し予め定めた出力電流設定値Ｒｖの値に応じて上記第１の電力主回路ＳＣＲ１及び上記第２の電力主回路ＳＣＲ２の出力を制御する電力制御回路ＳＣと、上記第１の電力主回路ＳＣＲ１の出力と上記第２の電力主回路ＳＣＲ２の出力とを接続し直流リアクトルＤＣＬによって平滑するアーク溶接機において、上記商用交流電源と上記第１の主変圧器ＩＮＴ１の１次側との間に第１の主回路開閉器ＭＳ１を接続し、上記商用交流電源と上記第２の主変圧器ＩＮＴ２の１次側との間に第２の主回路開閉器ＭＳ２を接続し、上記商用交流電源の投入を制御する電源投入スイッチＳＷ１を介して上記商用交流電源が入力すると動作を開始して第１の開閉器駆動信号Ｍｆ１を出力して上記第１の主回路開閉器ＭＳ１を閉路し、続いて、上記出力電流設定値Ｒｖが予め定めた出力電流基準値Ｒｆを越えたときに第２の開閉器駆動信号Ｍｆ２を出力して上記第１の主回路開閉器ＭＳ１と上記第２の主回路開閉器ＭＳ２とを閉路させる開閉器制御回路ＭＫとを備えたことを特徴とするアーク溶接機である。
【０００８】
第３の発明は、上記開閉器制御回路ＭＫ及び上記電力制御回路ＳＣは、上記起動信号がオフ時に設定された出力電流設定値Ｒｖの値に応じて出力を制御することを特徴とする請求項１又は請求項２記載のアーク溶接機。
【発明の効果】
【０００９】
第１の発明及び第２の発明では、容量の小さい主変圧器を複数並列接続し、出力電流設定値の値に応じて上記主変圧器の稼動個数を制御するために、上記出力電流設定値の値が低いときに、上記主変圧器の稼動個数の減少が可能となり無負荷損失の値を低減できる。更に、第３の発明では、溶接中において上記出力電流設定値の変更によって生じる上記主変圧器の稼動個数の切換制御を防止し、主回路開閉器の接点磨耗の劣化及び主変圧器の切換によるアークの不安定を防止できる。
【発明を実施するための最良の形態】
【００１０】
［実施の形態１］
図１は、本発明のアーク溶接機の電気接続図であり、第１の電力主回路ＳＣＲ１と第２の電力主回路ＳＣＲ２とを出力制御素子（サイリスタ素子及びチョッパ用トランジスタ等のスイッチング素子からなる）として、溶接トーチＴＨと被加工物ＣＷとの間に発生するアーク負荷に対し、直流電力を供給する。図１において、第１の主変圧器ＩＮＴ１と第２の主変圧器ＩＮＴ２とを並列に配設して、上記第１の主変圧器ＩＮＴ１の１次側を商用交流電源に接続し、電磁開閉器を用いた主回路開閉器ＭＳの開閉接点ＭＳａを上記商用交流電源と第２の主変圧器ＩＮＴ２の１次側の間に接続し、上記第１の主変圧器ＩＮＴ１及び第２の主変圧器ＩＮＴ２の２次側には第１の電力主回路ＳＣＲ１、第２の電力主回路ＳＣＲ２を接続し、上記第１の電力主回路ＳＣＲ１及び第２の電力主回路ＳＣＲ２の出力に直流リアクトルＤＣＬを接続して主回路部を形成している。
【００１１】
図１において、第１の主変圧器ＩＮＴ１と第２の主変圧器ＩＮＴ２とは商用交流電源をアーク溶接に適した電圧に変換する。また、第１の電力主回路ＳＣＲ１は上記第１の主変圧器ＩＮＴ１の２次側電圧を整流及び電力制御し、第２の電力主回路ＳＣＲ２は、上記第２の主変圧器ＩＮＴ２の２次側電圧を整流及び電力制御する。
【００１２】
出力電流設定回路ＲＶは予め定めた値の出力電流設定値Ｒｖを出力し、起動スイッチＴＳは起動信号Ｔｓを出力する。
【００１３】
図２に示す主制御回路部ＭＣは、開閉器制御回路ＭＫ、出力電流判別回路ＣＰ、第１の開閉器駆動回路ＭＦ１、第２の開閉器駆動回路ＭＦ２及び電力制御回路ＳＣによって形成している。
【００１４】
出力電流判別回路ＣＰは、出力電流設定値Ｒｖと図示省略の予め定めた出力電流基準値Ｒｆとを比較し、上記出力電流設定値Ｒｖが上記出力電流基準値Ｒｆを越えたときに出力電流判別信号ＣｐをＨｉｇｈレベルにして出力し、上記出力電流設定値Ｒｖが上記出力電流基準値Ｒｆ未満のときに出力電流判別信号ＣｐをＬｏｗレベルにする。
【００１５】
開閉器制御回路ＭＫは、電源投入スイッチＳＷ１がオンされて商用交流電源が入力すると動作を開始し、出力電流判別信号ＣｐがＬｏｗレベルの時には第１の開閉器駆動信号Ｍｋ１を出力し、出力電流判別信号ＣｐがＨｉｇｈレベルの時には上記第１の開閉器駆動信号Ｍｋ１と第２の開閉器駆動信号Ｍｋ２とを出力する。
【００１６】
第２の開閉器駆動回路ＭＦ２は、上記第２の開閉制御信号Ｍｋ２をレベル変換して開閉器駆動信号Ｍｆ（Ｍｆ２）を出力する。主回路開閉器ＭＳは、開閉器駆動信号Ｍｆが入力すると動作を開始して主回路開閉接点ＭＳａを閉路させて、第２の主変圧器ＩＮＴ２の１次側に商用交流電源を入力する。
【００１７】
電力制御回路ＳＣは、起動信号Ｔｓがオンすると動作を開始し、出力電流設定値Ｒｖに応じて第１の電力制御信号Ｓｃ１と第２の電力制御信号Ｓｃ２とを制御し、第１の開閉制御信号Ｍｋ１が入力すると上記制御された第１の電力制御信号Ｓｃ１を第１の電力主駆動回路ＳＤ１に出力し、第２の開閉制御信号Ｍｋ２が入力すると上記制御された第２の電力制御信号Ｓｃ２を第２の電力主駆動回路ＳＤ２に出力する。
【００１８】
図１に示す第１の電力主駆動回路ＳＤ１は第１の電力制御信号Ｓｃ１をレベル変換して、第１の電力主駆動信号Ｓｄ１として出力し第１の電力主回路ＳＣＲ１を電力制御する。また、第２の電力主駆動回路ＳＤ２は第２の電力制御信号Ｓｃ２をレベル変換して、第２の電力主駆動信号Ｓｄ２として出力し第２の電力主回路ＳＣＲ２を電力制御する。
【００１９】
図１に示す本発明の動作を図３の波形タイミング図を参照して説明する。図３（Ａ）は電源投入スイッチＳＷ１の開閉信号Ｓｗ１を示し、図３（Ｂ）は出力電流設定回路ＲＶによって設定される出力電流設定値Ｒｖを示し、図３（Ｃ）は第１の開閉制御信号Ｍｋ１を示し、図３（Ｄ）は第２の開閉制御信号Ｍｋ２を示す。図３（Ｅ）は起動信号Ｔｓを示し、図３（Ｆ）は第１の電力制御信号Ｓｃ１を示し、図３（Ｇ）は第２の電力制御信号Ｓｃ２を示し、図３（Ｈ）は開閉器駆動信号Ｍｆを示す。
【００２０】
出力電流判別回路ＣＰは、図３（Ｂ）に示す出力電流設定値Ｒｖと図示省略の予め定めた出力電流基準値Ｒｆとを比較し、上記出力電流設定値Ｒｖが上記出力電流基準値Ｒｆ未満のときに出力電流判別信号ＣｐをＬｏｗレベルにして開閉器制御回路ＭＫに入力する。
【００２１】
時刻ｔ＝ｔ１において、電源投入スイッチＳＷ１がオンすると商用交流電源が開閉器制御回路ＭＫに入力される。開閉器制御回路ＭＫは、上記商用交流電源が入力すると動作を開始し、出力電流判別信号ＣｐがＬｏｗレベルのとき、図３（Ｃ）に示す第１の開閉制御信号Ｍｋ１を電力制御回路ＳＣに出力する。
【００２２】
時刻ｔ＝ｔ２において、電力制御回路ＳＣに、第１の開閉制御信号Ｍｋ１と起動信号Ｔｓとが入力されると動作を開始し、出力電流設定値Ｒｖに応じて第１の電力制御信号Ｓｃ１を出力制御する。第１の電力主駆動回路ＳＤ１は、第１の電力制御信号Ｓｃ１が入力するとレベル変換し、第１の電力主駆動信号Ｓｄ１として出力し第１の電力主回路ＳＣＲ１を電力制御する。
【００２３】
時刻ｔ＝ｔ３において、図３（Ｂ）に示す出力電流設定値Ｒｖの値が出力電流基準値Ｒｆを越えたときに、出力電流判別回路は出力電流判別信号ＣｐをＨｉｇｈレベルにして開閉器制御回路ＭＫに入力する。
【００２４】
開閉器制御回路ＭＫは、出力電流判別信号ＣｐがＨｉｇｈレベルになると、図３（Ｄ）に示す第２の開閉制御信号Ｍｋ２を出力し、第２の開閉器駆動回路ＭＦ２は、上記第２の開閉制御信号Ｍｋ２をレベル変換して開閉器駆動信号Ｍｆを出力する。
【００２５】
主回路開閉器ＭＳは、上記開閉器駆動信号Ｍｆが入力されると主回路開閉接点ＭＳａを閉路する。このとき、第２の主変圧器ＩＮＴ２の１次側に商用交流電源が投入される。
【００２６】
電力制御回路ＳＣに、第２の開閉制御信号Ｍｋ２が入力されると出力電流設定値Ｒｖに応じて制御された第２の電力制御信号Ｓｃ２を出力する。また、第１の電力制御信号Ｓｃ１も出力電流設定値Ｒｖに応じて出力制御される。第２の電力主駆動回路ＳＤ２は、第２の電力制御信号Ｓｃ２が入力するとレベル変換して、第２の電力主駆動信号Ｓｄ２として出力し第２の電力主回路ＳＣＲ２を電力制御する。
【００２７】
時刻ｔ＝ｔ４において、図３（Ｅ）に示す起動信号Ｔｓがオフになると、上記電力制御回路ＳＣの動作は停止し、上記第１の電力制御信号Ｓｃ１及び第２の電力制御信号Ｓｃ２の出力を止める。また、時刻ｔ＝ｔ５において、電源投入スイッチＳＷ１がオフすると商用交流電源が遮断され、開閉器制御回路ＭＫは動作を停止して第１の開閉制御信号Ｍｋ１及び第２の開閉制御信号Ｍｋ２の出力も停止する。
【００２８】
［実施の形態２］
図１に示す、本発明のアーク溶接機の電気接続図と同一符号は、同一動作を行なうので説明は省略して相違する動作について説明する。
【００２９】
図４において、第１の主変圧器ＩＮＴ１と第２の主変圧器ＩＮＴ２とを並列に配設して、電磁開閉器を用いた第１の主回路開閉器ＭＳ１の第１の開閉接点ＭＳ１ａを第１の主変圧器ＩＮＴ１の１次側に接続し、第２の主回路開閉器ＭＳ２の第２の開閉接点ＭＳ２ａを第２の主変圧器ＩＮＴ２の１次側に接続している。
【００３０】
図２に示す第２の開閉器駆動回路ＭＦ２は、上記第２の開閉制御信号Ｍｋ２をレベル変換して第２の開閉器駆動信号Ｍｆ２を出力する。第２の主回路開閉器ＭＳ２は、第２の開閉器駆動信号Ｍｆ２が入力すると動作を開始して第２の主回路開閉接点ＭＳ２ａを閉路させて、第２の主変圧器ＩＮＴ２の１次側に商用交流電源を入力する。
【００３１】
図４に示す第２の発明の動作を図５の波形タイミング図を参照して説明する。図５（Ａ）は電源投入スイッチＳＷ１の開閉信号Ｓｗ１を示し、図５（Ｂ）は出力電流設定回路ＲＶによって設定される出力電流設定値Ｒｖを示し、図５（Ｃ）は第１の開閉制御信号Ｍｋ１を示し、図５（Ｄ）は第２の開閉制御信号Ｍｋ２を示す。図５（Ｅ）は起動信号Ｔｓを示し、図５（Ｆ）は第１の電力制御信号Ｓｃ１を示し、図５（Ｇ）は第２の電力制御信号Ｓｃ２を示し、図５（Ｈ）は第１の開閉器駆動信号Ｍｆ１を示し、図５（Ｉ）は第２の開閉器駆動信号Ｍｆ２を示す。
【００３２】
図５に示す、時刻ｔ＝ｔ１において、電源投入スイッチＳＷ１がオンすると商用交流電源が開閉器制御回路ＭＫに入力される。開閉器制御回路ＭＫは、上記商用交流電源が入力すると動作を開始し、出力電流判別信号ＣｐがＬｏｗレベルのとき、図５（Ｃ）に示す第１の開閉制御信号Ｍｋ１を出力し、第１の開閉器駆動回路ＭＦ１は、上記第１の開閉制御信号Ｍｋ１をレベル変換して図５（Ｈ）に示す第１の開閉器駆動信号Ｍｆ１を出力する。
【００３３】
図４に示す第１の主回路開閉器ＭＳ１は、上記第１の開閉器駆動信号Ｍｆ１が入力されると第１の主回路開閉接点ＭＳ１ａを閉路する。このとき、第１の主変圧器ＩＮＴ１の１次側に商用交流電源が投入される。
【００３４】
時刻ｔ＝ｔ２において、電力制御回路ＳＣに、第１の開閉制御信号Ｍｋ１と起動信号Ｔｓとが入力されると動作を開始し、出力電流設定値Ｒｖに応じて第１の電力制御信号Ｓｃ１を出力制御する。第１の電力主駆動回路ＳＤ１は、第１の電力制御信号Ｓｃ１が入力するとレベル変換し、第１の電力主駆動信号Ｓｄ１として出力し第１の電力主回路ＳＣＲ１を電力制御する。
【００３５】
時刻ｔ＝ｔ３において、図４（Ｂ）に示す出力電流設定値Ｒｖの値が出力電流基準値Ｒｆを越えたときに出力電流判別回路は出力電流判別信号ＣｐをＨｉｇｈレベルにして開閉器制御回路ＭＫに入力する。
【００３６】
開閉器制御回路ＭＫは、出力電流判別信号ＣｐがＨｉｇｈレベルになると、図５（Ｄ）に示す第２の開閉制御信号Ｍｋ２を出力し、第２の開閉器駆動回路ＭＦ２は、上記第２の開閉制御信号Ｍｋ２をレベル変換して第２の開閉器駆動信号Ｍｆ２を出力する。
【００３７】
第２の主回路開閉器ＭＳ２は、上記第２の開閉器駆動信号Ｍｆ２が入力されると第２の主回路開閉接点ＭＳ２ａを閉路する。このとき、第２の主変圧器ＩＮＴ２の１次側に商用交流電源が投入される。
【００３８】
電力制御回路ＳＣに、第２の開閉制御信号Ｍｋ２が入力されると出力電流設定値Ｒｖに応じて制御された第２の電力制御信号Ｓｃ２を出力する。第２の電力主駆動回路ＳＤ２は、第２の電力制御信号Ｓｃ２が入力するとレベル変換して、第２の電力主駆動信号Ｓｄ２として出力し第２の電力主回路ＳＣＲ２を電力制御する。
【００３９】
［実施の形態３］
図４に示す、第２の発明のアーク溶接機の電気接続図と同一符号は、同一動作を行なうので説明は省略して相違する動作について説明する。
【００４０】
図６に示す出力電流判別回路（起動信号対応）ＣＰは、起動信号のオフ時に設定された出力電流設定値Ｒｖの値を記憶し、上記記憶した出力電流設定値Ｒｖと図示省略の予め定めた出力電流基準値Ｒｆとを比較し、上記出力電流設定値Ｒｖが上記出力電流基準値Ｒｆを越えたときに出力電流判別信号ＣｐをＨｉｇｈレベルにして出力し、上記出力電流設定値Ｒｖが上記出力電流基準値Ｒｆ未満のときに出力電流判別信号ＣｐをＬｏｗレベルにする。また、上記出力電流設定値Ｒｖの設定は、起動信号Ｔｓがオフ期間に設定された値のみ有効となり、上記起動信号Ｔｓのオン期間に設定を変更しても値は無効となる。
【００４１】
図６に示す電力制御回路（起動信号対応）ＳＣは、起動信号Ｔｓがオフ時に設定された出力電流設定値Ｒｖの値を記憶し、起動信号Ｔｓがオンすると動作を開始し、前記記憶された出力電流設定値Ｒｖに応じて第１の電力制御信号Ｓｃ１と第２の電力制御信号Ｓｃ２とを制御し、第１の開閉制御信号Ｍｋ１が入力すると上記制御された第１の電力制御信号Ｓｃ１を第１の電力主駆動回路ＳＤ１に出力し、第２の開閉制御信号Ｍｋ２が入力すると上記制御された第２の電力制御信号Ｓｃ２を第２の電力主駆動回路ＳＤ２に出力する。また、上記出力電流設定値Ｒｖの設定は、起動信号ｔｓがオフ期間に設定された値のみ有効となり、上記起動信号Ｔｓのオン期間に設定を変更しても値は無効となる。
【００４２】
第３の発明の動作を図７の波形タイミング図を参照して説明する。図７（Ａ）は電源投入スイッチＳＷ１の開閉信号Ｓｗ１を示し、図７（Ｂ）は出力電流設定回路ＲＶによって設定される出力電流設定値Ｒｖを示し、図７（Ｃ）は第１の開閉制御信号Ｍｋ１を示し、図７（Ｄ）は第２の開閉制御信号Ｍｋ２を示す。図７（Ｅ）は起動信号Ｔｓを示し、図７（Ｆ）は第１の電力制御信号Ｓｃ１を示し、図７（Ｇ）は第２の電力制御信号Ｓｃ２を示し、図７（Ｈ）は第１の開閉器駆動信号Ｍｆ１を示し、図７（Ｉ）は第２の開閉器駆動信号Ｍｆ２を示す。
【００４３】
出力電流判別回路ＣＰは、起動信号がオフ時に設定された出力電流設定値Ｒｖの値が出力電流基準値Ｒｆより小さいために出力電流判別信号ＣｐをＬｏｗレベルにする。
【００４４】
図７に示す、時刻ｔ＝ｔ１において、電源投入スイッチＳＷ１がオンすると商用交流電源が開閉器制御回路ＭＫに入力される。開閉器制御回路ＭＫは、上記商用交流電源が入力すると動作を開始し、出力電流判別信号ＣｐがＬｏｗレベルのため、図７（Ｃ）に示す第１の開閉制御信号Ｍｋ１を出力し、第１の開閉器駆動回路ＭＦ１は、上記第１の開閉制御信号Ｍｋ１をレベル変換して図７（Ｈ）に示す第１の開閉器駆動信号Ｍｆ１を出力する。
【００４５】
第１の主回路開閉器ＭＳ１は、上記第１の開閉器駆動信号Ｍｆ１が入力されると第１の主回路開閉接点ＭＳ１ａを閉路する。このとき、第１の主変圧器ＩＮＴ１の１次側に商用交流電源が投入される。
【００４６】
時刻ｔ＝ｔ２において、電力制御回路ＳＣに、第１の開閉制御信号Ｍｋ１と起動信号Ｔｓとが入力されると動作を開始し、起動信号がオフ期間に設定された出力電流設定値Ｒｖに応じて第１の電力制御信号Ｓｃ１を出力制御する。第１の電力主駆動回路ＳＤ１は、第１の電力制御信号Ｓｃ１が入力するとレベル変換し、第１の電力主駆動信号Ｓｄ１として出力し第１の電力主回路ＳＣＲ１を電力制御する。
【００４７】
時刻ｔ＝ｔ３において、起動信号Ｔｓがオン期間中に出力電流設定値Ｒｖの値を変更して出力電流基準値Ｒｆより大きくしても出力電流判別回路ＣＰは、変更した値を無効にして出力電流判別信号ＣｐのＬｏｗレベルを継続する。また、開閉器制御回路ＭＫは、出力電流判別信号ＣｐがＬｏｗレベルを継続しているために、第２の開閉器駆動信号Ｍｆ２は出力されず第２の主回路開閉器ＭＳ２は、第２の主回路開閉接点ＭＳ２ａの開路を継続して第２の主変圧器ＩＮＴ２の１次側に商用交流電源が投入されない。
【００４８】
電力制御回路ＳＣは、第１の開閉制御信号Ｍｋ１のみ入力され、起動信号がオフ期間に設定された出力電流設定値Ｒｖの値に応じて第１の電力制御信号Ｓｃ１を出力制御する。
【００４９】
図７に示す時刻ｔ＝ｔ４において、起動信号Ｔｓがオフになると図７（Ｂ）に示す出力電流基準値Ｒｆを越えた出力電流設定値Ｒｖの値が有効となり、出力電流判別回路ＣＰは出力電流判別信号ＣｐをＨｉｇｈレベルにし、第２の主回路開閉接点ＭＳ２ａを閉路して第２の主変圧器ＩＮＴ２の１次側に商用交流電源を投入する。また、時刻ｔ＝ｔ５において、電源投入スイッチＳＷ１がオフすると商用交流電源が遮断され、開閉器制御回路ＭＫは動作を停止して第１の開閉制御信号Ｍｋ１及び第２の開閉制御信号Ｍｋ２の出力も停止する。
【図面の簡単な説明】
【００５０】
【図１】本発明のアーク溶接機の電気接続図である。
【図２】図１に示す、主制御回路の詳細回路図である。
【図３】本発明のアーク溶接機の動作を説明する波形タイミング図である。
【図４】第２の発明のアーク溶接機の電気接続図である。
【図５】第２の発明の動作を説明する波形タイミング図である。
【図６】第３の発明の主制御回路の詳細回路図である。
【図７】第３の発明の動作を説明する波形タイミング図である。
【図８】従来技術のアーク溶接機の電気接続図である。
【符号の説明】
【００５１】
ＣＷ          被加工物
ＣＰ          出力電流判別回路
ＤＣＬ        直流リアクトル
ＩＮＴ１      第１の主変圧器
ＩＮＴ２      第２の主変圧器
ＭＣ（ＭＣＴ）主制御回路部
ＭＦ１        第１の開閉器駆動回路
ＭＦ２        第２の開閉器駆動回路
ＭＫ          開閉器制御回路
ＭＳ          主回路開閉器
ＭＳａ        主回路開閉接点
ＭＳ１        第１の主回路開閉器
ＭＳ１ａ      第１の主回路開閉接点
ＭＳ２        第２の主回路開閉器
ＭＳ２ａ      第２の主回路開閉接点
ＲＶ          出力電流設定回路
ＳＣ          電力制御回路
ＳＤ１        第１の電力主駆動回路
ＳＤ２        第２の電力主駆動回路
ＳＣＲ１      第１の電力主回路
ＳＣＲ２      第２の電力主回路
ＳＷ１        電源投入スイッチ
ＴＳ          起動スイッチ
ＴＨ          溶接トーチ
Ｃｐ          出力電流判別信号
Ｍｆ          開閉器駆動信号
Ｍｆ１        第１の開閉器駆動信号
Ｍｆ２        第２の開閉器駆動信号
Ｍｋ１        第１の開閉制御信号
Ｍｋ２        第２の開閉制御信号
Ｒｖ          出力電流設定値
Ｓｃ１        第１の電力制御信号
Ｓｃ２        第２の電力制御信号
Ｓｄ１        第１の電力主駆動信号
Ｓｄ２        第２の電力主駆動信号
Ｓｗ１        開閉信号（電源投入スイッチ用）
Ｔｓ          起動信号  
【図１】
2005081378.tif 000003
【図２】
2005081378.tif 000004
【図３】
2005081378.tif 000005
【図４】
2005081378.tif 000006
【図５】
2005081378.tif 000007
【図６】
2005081378.tif 000008
【図７】
2005081378.tif 000009
【図８】
2005081378.tif 000010